(57)【要約】  本発明に係る可動式の放熱器用支持体は、前記放熱器に結合する手段と、床上に放熱器を支持する格納式の手段とを有する、フレームを備える。前記支持体は、前記フレームの本体の外側に位置付けられる作動状態、又は前記放熱器の本体の内側に位置付けられる低障害状態をとるのに適している。可動式の放熱器用支持体の着脱方法は、使用又は梱包輸送するのに適したものとすべく、それぞれ、基部の移動工程を含み、前記基部は回転しうるように結合されている車輪を支持し、前記フレームに関して、前記基部を作動状態には前記フレームの本体の外側に、あるいは、低障害状態には前記放熱器本体の内側に取り込むようにする。
2005509829.tif 000002
【特許請求の範囲】
【請求項１】
可動式の放熱器用支持体において、
前記支持体は前記放熱器に結合するための手段及び床上に前記放熱器を支持するための格納式の手段を有するフレームを備え、
前記支持部材は前記フレームの本体の外側に位置付けられる作動状態、あるいは前記放熱器の本体の内側に位置付けられる低障害状態をとるのに適していることを特徴とする放熱器用支持体。
【請求項２】
前記支持部材は、車輪が回転するように結合された一又は二以上の基部を備えていることを特徴とする請求項１に記載の支持体。
【請求項３】
前記支持部材は、前記フレームを前記基部のそれぞれに対し結合するための少なくとも一つのヒンジを備えていることを特徴とする前記請求項のいずれかに記載の支持体。
【請求項４】
前記少なくとも一つのヒンジは、床に対しほぼ平行に設けられている軸を有することを特徴とする前記請求項のいずれかに記載の支持体。
【請求項５】
前記フレーム及び前記一又は二以上の基部は、前記基部が作動状態をとる場合に互いに接合される接合部を接合し、前記接合部は前記ヒンジに伝わる応力を抑えるために応力を伝達するのに適するようになされていることを特徴とする前記請求項のいずれかに記載の支持体。
【請求項６】
前記フレームから伸びている前記接合部が前記車輪に関して反対側から突出していることを特徴とする前記請求項のいずれかに記載の支持体。
【請求項７】
前記フレームから伸びている前記接合部はほぼＬ字型の要素を備えており、そして、同様に、前記一又は二以上の基部の接合部は前記Ｌ字型要素を受容するのに適している中空体を備えることを特徴とする前記請求項のいずれかに記載の支持体。
【請求項８】
前記フレームから伸びている前記接合部は前記フレームの支持板の上に形成される深絞り部を備え、同様に、前記基部の接合部は前記深絞り部を受容するのに適している部分を備えていることを特徴とする前記請求項のいずれかに記載の支持体。
【請求項９】
前記支持部材は、前記作動状態において前記基部の第１のスナップ状又はフリクション状の固定手段を備えることを特徴とする前記請求項のいずれかに記載の支持体。
【請求項１０】
前記支持部材は、前記低障害状態において前記基部の第２のスナップ状又はフリクション状の固定手段を備えることを特徴とする前記請求項のいずれかに記載の支持体。
【請求項１１】
前記結合手段は、末端部が前記フレームに結合され、中央部が放熱器のハブを受容するのに適している、少なくとも一つの金具を備えていることを特徴とする前記請求項のいずれかに記載の支持体。
【請求項１２】
前記ヒンジは、前記床に対しほぼ平行に設けられている軸を有することを特徴とする前記請求項のいずれかに記載の支持体。
【請求項１３】
少なくとも一つの前記基部は、スライドし得るように前記フレームに結合されていることを特徴とする前記請求項のいずれかに記載の支持体。
【請求項１４】
可動式の放熱器用の支持手段を使用できる状態あるいは梱包輸送に適した状態に、それぞれ、なすための支持体の着脱方法において、該方法は、回転し得るように結合されている車輪を支持し、フレームに関して、前記フレームの本体の外側にある作動位置或いは前記放熱器のフレーム内に位置する低障害位置に配置する基部の移動工程を含むことを特徴とする方法。
【請求項１５】
前記基部が移動された後、スナップ状又はフリクション状固定手段が前記基部を所定位置に固定することを特徴とする前記請求項に記載の方法。
【請求項１６】
詳細な説明及び請求項に記載した全ての可動式の放熱器用支持体及び前記支持体の着脱方法。
【発明の詳細な説明】
【技術分野】
【０００１】
本発明は、可動式の放熱器用支持体及び前記支持体の着脱方法に関するものである。
【背景技術】
【０００２】
よく知られているように、可動式の放熱器は複数の脚部及び車輪を有し、これを支えまた移動できるようにされている。前記車輪は螺着及び蝶ナットといった手段により放熱器に直接結合されている。
【０００３】
しかしながら、従来型の支持体は放熱器の消費者により取り付けられなければならず、誤って取り付けられたり、さらには、一又は二以上の取付部材、特にナットあるいはワッシャー等の小型の部品をなくしたりする恐れがあった。
【発明の開示】
【発明が解決しようとする課題】
【０００４】
本発明の提供する技術課題は、それ故、可動式の放熱器用支持体及び前記支持体の着脱方法に関するものであって、前記先行技術の技術的欠陥を取り除くようにすることにある。この技術課題において、本発明の目的は、組み立てた後にユーザーにより取り付ける必要がない支持体を実現することにある。
【課題を解決するための手段】
【０００５】
実際には、本発明による支持体は、既に取り付けられた状態にあり、また、使用し得るような「作動」状態、又は包装され得るような「低障害」状態のみしかとりえないようにすると、有利である。
【０００６】
本発明の他の目的は、支持体が、放熱器が購入される前後を問わず、一又は二以上の構成部品をなくす恐れがないようにすることにある。特に、前記支持体は、前記取り付けられている支持体自体から又は前記放熱器から、分離したり、なくなってしまうような部品（特に小型のもの）を有しない。
【０００７】
本発明の最後の重要な目的は、放熱器に取り付けられた支持体により放熱器を運搬できるようにするが、低障害状態にして、放熱器を収納するための包装のサイズを制限する支持体及び方法を実現することにある。
【０００８】
前記技術的課題だけでなく、前記及び他の目的は、本発明によれば、前記放熱器に結合するための手段及び床上に前記放熱器を支持するための格納式手段を有するフレームを備えた可動式の放熱器用支持体を実現することによって達成され、前記支持体は前記フレームの本体の外側に位置付けられる作動状態、あるいは前記放熱器の本体の内側に位置付けられる低障害状態をとるのに適していることを特徴とする。
【０００９】
本発明はまた、可動式の放熱器用支持手段を使用できる状態あるいは梱包輸送に適した状態に、それぞれ、なすための支持体の着脱方法において、該方法は、回転し得るように結合されている車輪を支持し、フレームに関して、前記フレームの本体の外側にある作動位置あるいは前記放熱器のフレーム内に位置する低障害位置に配置する基部の移動工程を含むことを特徴とする。本発明のさらなる特徴は、その上に、請求項に限定されている。
【００１０】
本発明のさらなる特徴及び利点は、好ましいものではあるがこれに限定することを意図するものではない可動式の放熱器用支持体及び前記支持体の着脱方法の実施例の記載から明らかになるであろう。ここで、前記支持体は、説明のためではあるがこれに限定することを意図するものではなく、添付の図面に図示されている。
【００１１】
図１は、低障害状態になるよう配置されている本発明による支持体の斜視図を示している。
図２は、作動状態における図１に記載の支持体の斜視図を示している。
図３は、低障害状態における図１に記載の支持体の側面図を示している。
図４は、作動状態における図１に記載の支持体の側面図を示している。
図５は、図１に記載の支持体の分解斜視図を示している。
図６は、本発明により支持体が取り付けられている可動式の放熱器の側面図を示している。
【実施例１】
【００１２】
引用図面を参照すると、可動式の放熱器用支持体が全体的に参照番号１で示されている。支持体１は、放熱器への結合手段３及び床上における放熱器の格納式の支持部材４を有するフレーム２を備えている。
【００１３】
支持部材４はフレーム２の本体の外側に位置付けられる作動状態又は放熱器の本体の内側に位置付けられる低障害状態をとるのに適していると、有利である。支持部材４は、好ましくは一又は二以上の基部（当該例には二つの基部が示されている）を有し、この基部には車輪６が回転できるように結合されている。
【００１４】
支持体１は、少なくとも一つのヒンジ７を備え、フレーム２を基部５のそれぞれに結合している。添付図面に示されているように、ヒンジ７は実質的に床にほぼ平行な軸を有し、前記軸は放熱器の横軸１１に対し実質的に水平かつ平行であると、好ましい。したがって、実際には、基部５がヒンジ７の周りを回転して低障害状態をとると、基部５はフレーム２の下（すなわち、フレームの本体の内側に）に位置付けられ、それに対して基部５がヒンジ７の周りを回転して作動位置をとると、基部５はフレームの本体２の外側に位置する。
【００１５】
フレーム２及び基部５は基部５が作動状態をとる場合に接合部８，９を接合してそれぞれ互いに接合されるようにすると、有利である。接合部８、９は、応力を伝達するのに適しており、ヒンジ７に応力が伝わるのを抑える。応力の配分を最適化するために、フレーム２から伸びている接合部８はフレーム２の支持板と一体に成形されるＬ字型の要素を備えており、また、同様に、基部５の接合部９はＬ字型の要素を受容するのに適する中空体を備えていると、好ましい。
【００１６】
異なる態様において、簡略化のために添付図面には図示していないが、前記フレームから伸びる接合部は前記支持板の上に形成される深絞り部を備えており、また、同様に、前記基部の接合部は、深絞り部を受容するのに適しているような部分、例えば中空体、を備えている。
【００１７】
支持体１は基部５を作動状態（簡略化のため図示はしないが）に置く第１のスナップ式又はフリクション式固定手段及び基部５を低障害状態に置く第２のスナップ式又はフリクション式固定手段を備えていると、好ましい。
【００１８】
第二の固定手段は基部５を固定し、符号１３として示されている基部５それ自体の一部が放熱器を床上に置く支持体を構成すると、有利である。
【００１９】
結合手段３は、末端部がフレーム２に結合され、中央部が放熱器のハブを受容するのに適している金具１４を備えている。添付図面に示されているように、金具１４はフレーム２の貫通口１５の内部に貫通及び挿入されており、そしてここでナット１６を介して固定されている。
【００２０】
異なる態様において、添付図面には図示しないが、前記ヒンジは床に対し実質的に垂直にある軸を有しており、そして前記軸は放熱器の水平軸１１にほぼ垂直で直角に設けられている。
【００２１】
さらに他の態様において（これもまた添付図面に図示はしないが）、基部５はスライドできるようフレーム２に結合されている。
【００２２】
本発明における可動式の放熱器用支持体の作用は、特に、下記において十分に説明され、図示されている内容から明確に理解することができるであろう。
【００２３】
包装した放熱器は、低障害状態においては、前記第二の固定手段を通じて固定されている、基部５にすでに取り付けられた支持体を有している。このように、前記放熱器は、基部５の一部１３を基礎に置いており、基部５がフレーム２及び／又は放熱器の本体から突出しないことから、非常に障害が少ない配置をとる。
【００２４】
包装は、小型であり、障害及びコストを抑制するものが好ましい。前記放熱器が購入されると、消費者は、基部５を回転し、第２の固定手段を解除し、第１の固定手段がスナップされて基部５を作動位置に置く。前記基部が作動状態にあると、前記放熱器は（車輪の上にあるため）移動可能であり、また、（前記車輪は、互いに非常に離れているため）安定している。
【００２５】
本発明はまた、それぞれ、使用状態又は梱包輸送に適した状態にできるようにする可動式の放熱器用の支持体１の着脱方法にも関する。前記方法は、フレーム２に関して回転し得るように結合されている車輪６を支持する基部５を移動する工程を含み、それによって基部５を前記フレームの本体の外側にある作動位置或いは前記放熱器の本体の内部の低障害位置に置く。
【００２６】
前記基部５が移動された後、スナップ状又はフリクション状の固定手段が基部５を固定位置に保持するようにすることが好ましい。実際問題として、本発明における可動式の放熱器用支持体及び前記支持体の着脱方法は、ユーザーに組み立て及び／又は多くのバラバラの部品を互いに結合させることを要しないようにしているために、特に有利である。さらにいえば、前記放熱器は小型であり、輸送のために梱包サイズを抑制されており、同時に、前記放熱器は使用時には非常に安定している。
【００２７】
このようにして着想された可動式の放熱器用の支持体及び前記支持体の着脱方法は、非常に多くの修正及び改良が可能であり、すべて本発明の概念に包含される。さらに、詳細な説明に記載されたすべては、技術的に等価な要素に置き換えることができる。実際に、使用された材料は、大きさの場合と同様に、必要に応じて、また、最先端技術に応じて、どの様なものでも用い得る。
【図面の簡単な説明】
【００２８】
【図１】障害が少なくなるよう配置されている本発明による支持体の斜視図である。
【図２】作動状態における図１に記載の支持体の斜視図である。
【図３】低障害状態における図１に記載の支持体の側面図である。
【図４】作動状態における図１に記載の支持体の側面図である。
【図５】図１に記載の支持体の分解斜視図である。
【図６】本発明により支持体が取り付けられている可動式の放熱器の側面図である。
【図１】
2005509829.tif 000003
【図２】
2005509829.tif 000004
【図６】
2005509829.tif 000005
【図３】
2005509829.tif 000006
【図４】
2005509829.tif 000007
【図５】
2005509829.tif 000008
【国際調査報告】
2005509829.tif 000009
2005509829.tif 000010